(57)【要約】クレジット・カード・プロセッサを選択するシステムが、少なくとも２つのプロセッサおよび商人に通信で結合される。本システムは、商人からオーダーを受け取ること、複数の基準に基づいてその少なくとも２つのプロセッサからプロセッサを選択すること、前記オーダーに関連付けられた情報を処理するために選択されたプロセッサに送り、選択されたプロセッサから応答を受け取り、その応答を商人に送ること、ができる処理エンジンを備える。
2004520639.tif 000002
【特許請求の範囲】
【請求項１】
クレジット・カード支払い情報を含むオーダーを商人から受け取ること、
複数の基準に基づいて前記オーダーに対する支払いを処理するためにプロセッサを選択すること、
前記情報を前記選択されたプロセッサに送ること、
前記選択されたプロセッサから応答を受け取ること、および
前記応答を前記商人に送ること
を含む方法。
【請求項２】
前記クレジット・カード支払い情報が、
商人の名前と、
消費者の名前、請求書住所、クレジット・カード番号、クレジット・カード満期日と、
前記オーダーのための購入価格と
を含む請求項１に記載の方法。
【請求項３】
前記複数の基準が、プロセッサ基準、ネットワーク条件、消費者基準、商人基準、および戦略的基準を含む請求項１に記載の方法。
【請求項４】
プロセッサを選択する前に詐欺選別を実行することをさらに含む請求項１に記載の方法。
【請求項５】
前記オーダーの詳細をデータベース内に記録することをさらに含む請求項１に記載の方法。
【請求項６】
消費者からオーダーを受け付けるために、前記商人のウェブサイト上にオーダー・ページをレンダリングすることをさらに含む請求項１に記載の方法。
【請求項７】
クレジット・カード支払い情報を含むオーダーを商人から受け取り、
複数の基準に基づいて前記オーダーに対する支払いを処理するためにプロセッサを選択し、
前記情報を前記選択されたプロセッサに送り、
前記選択されたプロセッサから応答を受け取り、
前記商人に前記応答を送る
ための命令を格納するマシン読取り可能媒体。
【請求項８】
前記クレジット・カード支払い情報が、
商人の名前と、
消費者の名前、請求書住所、クレジット・カード番号、クレジット・カード満期日と、
前記オーダーのための購入価格と
を含む請求項７に記載のマシン読取り可能媒体。
【請求項９】
前記複数の基準が、プロセッサ基準、ネットワーク条件、消費者基準、商人基準、および戦略的基準を含む請求項７に記載のマシン読取り可能媒体。
【請求項１０】
プロセッサを選択する前に詐欺選別を実行する命令をさらに含む請求項７に記載のマシン読取り可能媒体。
【請求項１１】
前記オーダーの詳細をデータベース内に記録する命令をさらに含む請求項７に記載のマシン読取り可能媒体。
【請求項１２】
消費者からオーダーを受け付けるために、前記商人のウェブサイト上にオーダー・ページをレンダリングする命令をさらに含む請求項７に記載のマシン読取り可能媒体。
【請求項１３】
クレジット・カード支払い情報を含むオーダーを商人から受け取る手段、
複数の基準に基づいて前記オーダーに対する支払いを処理するプロセッサを選択する手段、
前記選択されたプロセッサに前記情報を送る手段、
前記選択されたプロセッサから応答を受け取る手段、および
前記商人に前記応答を送る手段、
を備えるシステム。
【請求項１４】
クレジット・カード支払い情報を含むオーダーを商人から受け取ること、
複数の基準に基づいて前記オーダーに対する支払いを処理するプロセッサを選択すること、
前記情報を、前記選択されたプロセッサによって理解可能な形態に変換すること、
前記選択されたプロセッサに前記変換された情報を送ること、
前記選択されたプロセッサから応答を受け取ること、
前記選択されたプロセッサからの前記応答を変換すること、および
前記変換された応答を前記商人に送ること
を含む方法。
【請求項１５】
前記クレジット・カード支払い情報が、
商人の名前と、
消費者の名前、請求書住所、クレジット・カード番号、クレジット・カード満期日と、
前記オーダーの購入価格と
を含む請求項１４に記載の方法。
【請求項１６】
前記複数の基準が、プロセッサ基準、ネットワーク条件、消費者基準、商人基準、および戦略的基準を含む請求項１４に記載の方法。
【請求項１７】
プロセッサを選択する前に詐欺選別を実行することをさらに含む請求項１４に記載の方法。
【請求項１８】
前記オーダーの詳細をデータベース内に記録することをさらに含む請求項１４に記載の方法。
【請求項１９】
消費者からオーダーを受け付けるために、前記商人のウェブ・サイト上にオーダー・ページをレンダリングすることをさらに含む請求項１４に記載の方法。
【請求項２０】
商人および少なくとも２つのプロセッサに通信可能に結合された装置であって、
前記商人からオーダーを受け取り、複数の基準に基づいて少なくとも前記２つのプロセッサからプロセッサを選択し、前記オーダーに関連付けられた情報を処理するために選択されたプロセッサにその情報を送り、前記選択されたプロセッサから応答を受け取り、前記応答を前記商人に送ることができる処理エンジンを備える装置。
【請求項２１】
前記オーダーに関連付けられた情報が、
前記商人の名前と、
消費者の名前、請求書住所、クレジット・カード番号、クレジット・カード満期日と、
前記オーダーのための購入価格と
を含む請求項２０に記載の装置。
【請求項２２】
前記複数の基準が、プロセッサ基準、ネットワーク条件、消費者基準、商人基準、および戦略的基準を含む請求項２０に記載の装置。
【請求項２３】
前記処理エンジンが、詐欺選別を実行する機能をさらに有する請求項２０に記載の装置。
【請求項２４】
データベースをさらに備え、前記処理エンジンが前記オーダーの詳細を前記データベースに記録する機能をさらに有する請求項２０に記載の装置。
【請求項２５】
消費者からオーダーを受け付けるために、前記商人のウェブ・サイト上にオーダー・ページをレンダリングすることができるページ・レンダリング・エンジンをさらに備える請求項２０に記載の装置。
【発明の詳細な説明】
【０００１】
（技術分野）
本発明は一般に、クレジット・カード処理に関し、より詳細には、クレジット・カード取引を処理するクレジット・カード・プロセッサを選択する手法を提供するが、それには限らない。
【０００２】
（背景）
ますます多数のマーケットにおいて消費者は、購入を行うために、現金および／または小切手の代わりにクレジット・カードおよび／またはデビット・カードを使用することが多い。さらに、消費者がオンライン購入を行うときは、一般に購入のために支払う唯一の手法はクレジット・カードまたはデビット・カードを使用することである。オンライン、電話経由、または直接であれ、購入のためのクレジット・カードまたはデビット・カードを商人が受け付けるためには、商人はクレジット・カード・プロセッサと関連付けられていなければならない。クレジット・カード・プロセッサは購入のためのクレジット・カード取引を実行し、通常、合計購入価格を含む多数の変数の関数としての手数料を商人に請求する。一般に、処理手数料はプロセッサ間で異なり、いくつかのプロセッサは最大または最小手数料付きまたはなしで購入価格のパーセンテージを請求し、他のプロセッサはフラット・レートを請求する。したがって、同一の購入のための取引手数料は、プロセッサ間で異なる可能性がある。
【０００３】
しかし、商人は一般に、単一クレジット・カード・プロセッサに関連付けを有するのみであり、たとえその商人が、いくつかの取引のために削減された取引手数料を異なるプロセッサから得ることができても、商人がそのクレジット・カード・プロセッサを使用することに限定される。さらに、商人が複数のプロセッサと関連付けを有しても、それぞれの特定取引のために最も廉価な取引手数料を有するプロセッサを選択することは非常に複雑になるであろう。
【０００４】
したがって、取引に対するクレジット・カード・プロセッサを複数の変数の関数として選択するための改善された手法が、非常に望ましい。
【０００５】
（概要）
本発明は、取引手数料、取引を実行する際のプロセッサ速度、プロセッサ使用可能性、および他の変数を含む、複数の変数の関数として、クレジット・カード・プロセッサを選択するためのシステムを提供する。本明細書において使用される用語「クレジット・カード」が、クレジット・カード、デビット・カード、ＡＴＭカード、および他の任意の同様の機構を指すことに留意されたい。本システムは、少なくとも１人の商人および少なくとも２つのプロセッサに結合される。本システムは、ページ・レンダリング・エンジン、処理エンジン、およびデータベースを備える。ページ・レンダリング・エンジンは、消費者のクレジット・カードまたはデビット・カード取引を始めるために、商人のウェブサイト上に表示する支払いウェブ・ページをレンダリングする。処理エンジンは、支払いウェブ・ページまたは他のデバイスからクレジット・カード・データおよび関連情報を受け取り、複数の変数に基づいて、その取引を処理するために複数のプロセッサの１つを選択する。処理エンジンは、受け取ったクレジット・カード・データおよび関連情報を選択されたプロセッサによって読取り可能な形態に変換する。また、処理エンジンは、選択された商人から受け取った応答を商人および／または消費者に理解可能な形態に変換する。取引が完了した後に、処理エンジンはその取引に関するデータをデータベースに格納することができる。本発明の他の実施態様では、処理エンジンは、詐欺検出および／または詐欺選別オペレーションを実行することもできる。
【０００６】
本発明はさらに、クレジット・カード購入取引を完結するためのクレジット・カード・プロセッサを選択する方法を提供する。本方法は、クレジット・カード購入取引データを受け取ること、その取引を完了するためのクレジット・カード・プロセッサを選択すること、選択されたプロセッサによって理解可能な形態に取引データを変換すること、変換されたデータを選択されたプロセッサに送ること、そのプロセッサから応答を受け取ること、その応答を変換すること、変換された応答を商人に転送すること、および取引をデータベース内に記録することを含む。本方法は詐欺選別および／または詐欺検出を実行することもできる。
【０００７】
本システムおよび方法は、いくつかの変数の関数として、クレジット・カードまたはデビット・カード取引を実行するクレジット・カード・プロセッサを有利に選択することができる。
【０００８】
本発明の非限定的かつ非網羅的実施形態を次の図を参照しながら述べるが、特に指定がない限り、様々な図を通じて同じ参照番号は同様の部分を指す。
【０００９】
（示された実施形態の詳細な説明）
次の記述は、任意の当業者が本発明を作成し使用できるようにするために提供され、特定の応用例およびその要件に関連して提供される。この諸実施形態に対する様々な修正が、当業者には容易に自明であり、本明細書に定義された一般的原理は、本発明の精神および範囲から逸脱することなく他の実施形態および応用例に適用することができる。したがって本発明は、本明細書に示された実施形態に限定するものではなく、本明細書に開示された原理、機能および教示に矛盾しない最も広い範囲が与えられるべきである。
【００１０】
図１は、商人１１０および複数のプロセッサ１３０、１４０、１５０に通信で結合された請求支援サーバ１２０を示す図である。商人１１０は、ウェブ商人でよく、クレジット・カード購入取引を始めたいと考える消費者１００に通信で結合される。あるいは、商人１１０は物理的位置を有する店舗でよく、消費者１００はその店舗内に位置してよい。プロセッサ１３０、１４０、１５０は、銀行１６０、１７０、１８０にそれぞれ通信で結合される。代替実施形態では、プロセッサ１３０、１４０、１５０が複数の異なる銀行にそれぞれ通信で結合されるか、あるいは各プロセッサが、同一銀行または同一銀行のサブセットに通信で結合されてもよい。他の実施形態では請求支援サーバ１２０は複数の商人および／またはさらに他のプロセッサに結合されてよい。請求支援サーバ１２０が通信で結合されるプロセッサまたは商人の数には制限がない。
【００１１】
請求支援サーバ１２０、商人１１０、プロセッサ１３０、１４０、１５０、および銀行１６０、１７０、１８０の地理的位置にも制約はない。例えば、サーバ１２０が米国内にあり、商人１１０が日本にいてもよい。さらに、プロセッサ１３０および１４０が米国内にあり、プロセッサ１５０がカナダにあってもよい。同様に、銀行１６０、１７０、１８０はそれぞれ、異なる国にあるか、すべてが同じ国にあるか、銀行１６０、１７０、１８０のうち２つが同じ国にあってもよい。さらに、銀行１６０、１７０、１８０は、複数通貨クレジット・カード処理機能を提供する複数通貨対応でよい。この機能は、商人１１０が商人１１０の自国通貨で消費者１００に請求し、それによって外国通貨為替リスクを回避することを可能にする。
【００１２】
請求支援サーバ１２０は、インターネットなどのネットワークを介して商人１１０に通信で結合されるか、あるいはサーバ１２０は、直接ケーブル接続など他の手法を介して商人１１０に通信で結合されてよい。同様にサーバ１２０は、インターネットなどのネットワークまたは他の手法を介してプロセッサ１３０、１４０、１５０に通信で結合されてよい。さらにサーバ１２０は、様々な手法を介してプロセッサ１３０、１４０、１５０にそれぞれ通信で結合されてよい。あるいはプロセッサ１３０、１４０、１５０のうち２つが、同じ手法を介してサーバ１２０に通信で結合されてよい。
【００１３】
図２は、本発明の一実施形態による請求支援サーバ１２０を示すブロック図である。サーバ１２０は、システム・バス２３０に通信で結合されたＩｎｔｅｌ  Ｐｅｎｔｉｕｍ（登録商標）マイクロプロセッサ、Ｍｏｔｏｒｏｌａ  Ｐｏｗｅｒ  ＰＣ（登録商標）マイクロプロセッサなどの中央処理ユニット（「ＣＰＵ」）２１０を含む。コンピュータ・システム１００は、磁気ディスク、ランダムアクセス・メモリ（ＲＡＭ）、他のメモリ・デバイスまたはメモリ・デバイスの組合わせなどのメモリ・デバイス２００、およびシステム・バス２３０にそれぞれ通信で結合された入力／出力（「入出力」）インタフェース２２０をさらに含む。サーバ１２０は、システム・バス２３０にそれぞれ通信で結合された、キーボード、マウスなどの入力デバイス（図に示されていない）および陰極線管ディスプレイなどの出力デバイス（図に示されていない）をオプションとして含んでもよい。入出力インタフェース２２０は、インターネットと一般に呼ばれる広域ネットワークなどのネットワークを介して商人１１０およびプロセッサ１６０、１７０、１８０に通信で結合される。１代替実施形態では、入出力インタフェース２２０は、他の手法を介して商人１１０およびプロセッサ１０、１７０、１８０に通信で結合されてよい。メモリ・デバイス２００は一体型ユニットとして示されているが、メモリ・デバイス２００が分散ユニットでよいことを当業者は認識するであろう。メモリ２００の内容は、図３および図４と共に議論する。
【００１４】
サーバ１２０がネットワーク接続、追加メモリ、追加プロセッサ、ＬＡＮ、ハードウェア・チャネルを越えて情報を転送する入力／出力回線、インターネット、イントラネットなどの追加デバイスも含むことができることを当業者は認識するであろう。さらに、本明細書において用語「メモリ」は、永久または一時的であれすべてのデータ記憶媒体をカバーするものであることが理解されよう。
【００１５】
図３は、本発明の一実施形態によるメモリ２００の内容を示すブロック図である。メモリ２００は、オプションのページ・レンダリング・エンジン３００、処理エンジン３１０、およびデータベース３２０を含む。（ステップを含む）いくつかのエレメントが本明細書でオプションとして分類されているが、オプションと分類されていない他のエレメントもなおオプションとすることができる。ページ・レンダリング・エンジン３００は、商人１１０がウェブ商人である場合、商人１１０のウェブサイトに支払いページをレンダリングする。支払いページは、発送情報とともにクレジット・カードまたはデビット・カード情報およびクレジット・カードまたはデビット・カード購入を処理するために必要な他の任意の情報を消費者１００に理解させる。
【００１６】
処理エンジン３１０は、クレジット・カードまたはデビット・カード情報ならびにクレジット・カードまたはデビット・カード購入を処理するために必要な他のすべての情報をレンダリングされた支払いページから受け取る。代替実施形態では、処理エンジン３１０は、マニュアル・エントリ、商人１１０のクレジット・カード端末、他の手法を介して上述の情報を受け取ることができる。次いで処理エンジン３１０は、プロセッサ（プロセッサ１３０、１４０、１５０）を選択し、クレジット・カードまたはデビット・カード情報を、選択されたプロセッサによって理解可能なフォーマットに変換する。
【００１７】
選択されたプロセッサが取引を処理した後に、処理エンジン３１０は確認および／または他の応答を選択されたプロセッサから受け取る。次いで処理エンジン３１０は、この確認または応答を商人１１０によって理解可能な形態に変換し、変換された確認または応答を商人１１０に転送することができる。次いで処理エンジン３１０は取引の詳細をデータベース３２０内に格納する。処理エンジン３１０は詐欺選別および詐欺検出などの他の機能を実行することもできる。処理エンジン３１０は図４および図５と共にさらに詳細に議論する。
【００１８】
データベース３２０は、すべての消費者に対する、不完全かつ試みた取引をも含むすべての過去の取引の記録を格納する。データベース３２０は消費者に対する商人１１０からのフィードバックを含むこともできる。本発明の一実施形態では、データベース３２０は、消費者によって索引付けすることができ、単一消費者に対する複数商人からの記録を単一記録内に格納することもできる。
【００１９】
メモリ２００は、消費者が、複数オーダーに対する複数商人からの自分の購入履歴を探してデータベース３２０を検索できるようにする購入履歴検索エンジン（図に示されていない）を含むこともできる。検索エンジンは、互換な運送会社を介してパッケージを追跡することもできる。
【００２０】
図４は、本発明の一実施形態による処理エンジン３１０の内容を示すブロック図である。処理エンジン３１０は、ディレクタ４００、変換モジュール４１０、および詐欺選別／検出ルーチン４２０を含む。ディレクタ４００は処理エンジン３１０のすべての機能を指示し、変換モジュール４１０および詐欺選別／検出ルーチン４２０を使用することができる処理エンジン３１０内の実行可能モジュールである。例えば、ディレクタ４００は、変換モジュール４１０を使用してクレジット・カードまたはデビット・カード情報を変換することができる。さらにディレクタ４００は、詐欺選別／検出モジュール４２０を使用して詐欺選別を実行することができる。
【００２１】
変換モジュール４１０は、プロセッサ固有の１組のモジュールである、すなわち、本発明の一実施形態において、変換モジュール４１０は、プロセッサ１３０、１４０、１５０のそれぞれに対して１つ、すなわち３つのモジュールを含んでいる。変換モジュール４１０は、プロセッサ１３０、１４０、１５０から受け取ったデータを商人１１０によって理解可能な形態に変換し、かつプロセッサ１３０、１４０、１５０によって理解可能な形態でプロセッサ１３０、１４０、１５０に送るためにデータを変換するための命令を含む。
【００２２】
詐欺選別／検出モジュール４２０は、ディレクタ４００によって実施することができる詐欺選別および詐欺検出を実行する命令を含む。可能な詐欺選別／検出手法の実施例は、
・地理的位置に基づく選別、すなわちいくつかの位置は他よりクレジット・カード詐欺の傾向がある、
・ＩＰアドレスに基づく選別、すなわちいくつかのＩＰアドレスは過去の詐欺的取引に関連付けられる、
・発行銀行に基づく選別、すなわち海外の銀行はクレジット・カード詐欺の前線の可能性がある、
・電話番号の妥当性に基づく選別、すなわち不正な電話番号は詐欺を示す可能性がある、および
・郵便番号の妥当性に基づく選別、すなわち住所と一致しない郵便番号は詐欺を示す可能性がある、
を含む。
【００２３】
さらに、詐欺選別／検出モジュール４２０は、データベース３２０と共に使用するためのデータ・マイニング命令を含むことができる、すなわち詐欺選別／検出ルーチン４２０は、可能な詐欺を検出するために、一消費者の複数の商人における取引を調査するために使用することができる。データ・マイニングを使用するために詐欺選別／検出モジュール４２０が選別することができる特徴の実施例は、
・過去の失敗した購入の試み、
・過去の購入履歴および頻度、すなわち短期間内の複数の購入は盗難クレジット・カードを示す可能性がある、
・過去のクレジット請求返還履歴および頻度、すなわち頻繁な請求返還はクレジット・カードの詐欺的使用を示す可能性がある、
・商人からのフィードバック、
・短期間に複数のカードを使用すること、
・請求書住所の頻繁な変更、および
・再訪問またはフォームの再提出などのオンラインの振る舞い
を含む。
【００２４】
詐欺選別／検出モジュール４２０は、消費者のカードの発行銀行を識別するためにその消費者に質問することによって、詐欺を探して選別することもできる。消費者がカード上に印刷された発行銀行を識別することができない場合、消費者は詐欺的購入を行おうとしている可能性がある。
【００２５】
図５は、クレジット・カード・プロセッサを選択する方法５００の流れ図である。本発明の一実施形態では、処理エンジン３１０が方法５００を実施することができる。方法５００では最初に、商人からオーダーを受け取る（５０５）。このオーダーは、商人のウェブサイト、クレジット・カード端末、その他のデバイスを介して受け取ることができる。一実施形態では、オーダーは消費者の名前、住所、クレジット・カード番号、クレジット・カード満期日、購入金額、商人の名前、発送住所、および購入品目を含む。次いで詐欺選別および／または検出（５１０）をオプションで実行することができる。本発明の一実施形態では、詐欺選別／検出は、処理エンジン（３１０）によって詐欺選別／検出ルーチン４２０を使用して実行することができる。詐欺が検出されるかまたは疑われる場合（５１５）、詐欺が検出されたことを反映するために、データベース３２０などのデータベース内の消費者記録を更新することができる（５２０）。次いで方法５００は終了する。
【００２６】
詐欺が検出されないか（５１５）または疑われない場合、次の基準の関数としてプロセッサおよび関連変換モジュールが選択される（５２５）。
・プロセッサ基準
○処理ボリューム限度、
○最小購入価格、
○最大購入価格、
○取引の最小月間ボリューム、
○取引の最大月間ボリューム、
○使用可能カード・タイプ（ＶＩＳＡ、ＭＣ、ＡＭＥＸ等）、
○使用可能通貨（円、米国ドル等）、
○事前承認機能、
○一部払戻し機能、
○事前承認満了の長さ、
○処理能力（取引／分）、
・ネットワーク条件
○ネットワークの使用可能性、
○サーバ１２０に対する負荷、
○プロセッサからの応答待ち時間、
○プロセッサからの予期せぬ誤りまたは妥当でない誤り、
・消費者の基準
○消費者の地域、
○消費者の発行銀行の地域、
・商人の基準
○サービスまたは商品の性質（高リスク、低リスク、ハード商品、ソフト商品等）、
・戦略的基準
○取引に対する処理手数料、および
○プロセッサのキャッシュ・フロー（支払いサイクル）。
プロセッサを選択するための関数は、線形加重スコア手法（すなわち、各プロセッサに対して、
【数１】
2004520639.tif 000003
、ただし、ｍは各プロセッサに対して定義された基準の数、Ｃｎは各基準に対する測定された基準スコア、Ｗｎは各基準に対して割り当てられた重み）または他の任意の意志決定手法、あるいは上述の基準および／または他の基準を使用する手法の組合わせを使用することができる。
【００２７】
プロセッサおよび関連変換モジュールが選択された後に（５２５）、クレジット、消費者情報および他の関連取引データが変換される（５３０）。次いで変換されたデータは、選択されたプロセッサに送られる（５３５）。次いでその選択されたプロセッサから応答が受け取られ（５４０）変換される（５４５）。次いでこの変換された応答は、一実施形態内の商人１１０などの商人に送られる（５５０）。受け取った応答が誤りである場合（５５５）、上記識別された方法が、選択すべき新しいプロセッサで繰り返される（５２５）。受け取った応答が誤りでない場合（５５５）、その消費者に対する取引が正常であることを示し、関連取引データを含めるために、データベース３２０などのデータベースが更新される。次いで方法５００は終了する。
【００２８】
本発明の明細書で示された実施形態の前述の説明は、例示に過ぎず、前述の教示に照らせば、上述の実施形態および方法の他の変形形態および修正が可能である。例えば、処理エンジン３１０は、プロセッサを選択するために指数加重スコア手法を使用することができる（すなわち、
【数２】
2004520639.tif 000004
）。ネットワーク・サイトは、別々の異なるサイトとして述べられているが、これらのサイトが一体型サイトの一部であるか、それぞれが複数サイトの一部を含むか、または単一および複数サイトの組合わせを含むことができることを当業者は認識するであろう。さらに、本発明のコンポーネントは、プログラムされた汎用デジタル・コンピュータ、特定用途向けＩＣ、または相互接続された従来型コンポーネントおよび回路のネットワークを使用して実施することができる。接続は有線、無線、モデム等でよい。ここで述べた諸実施形態は、網羅的または限定的なもではない。本発明は次の請求の範囲によってのみ限定される。
【図面の簡単な説明】
【図１】
商人および複数のプロセッサに通信で結合された請求支援サーバを示す図である。
【図２】
本発明の一実施形態による、図１の請求支援サーバを示すブロック図である。
【図３】
請求支援サーバのメモリの内容を示すブロック図である。
【図４】
請求支援サーバのメモリ内の処理エンジンの内容を示すブロック図である。
【図５】
クレジット・カード・プロセッサを選択する方法の流れ図である。
【図１】
2004520639.tif 000005
【図２】
2004520639.tif 000006
【図３】
2004520639.tif 000007
【図４】
2004520639.tif 000008
【図５】
2004520639.tif 000009
【国際公開パンフレット】
2004520639.tif 000010
2004520639.tif 000011
2004520639.tif 000012
2004520639.tif 000013
2004520639.tif 000014
2004520639.tif 000015
2004520639.tif 000016
2004520639.tif 000017
2004520639.tif 000018
2004520639.tif 000019
2004520639.tif 000020
2004520639.tif 000021
2004520639.tif 000022
2004520639.tif 000023
2004520639.tif 000024
2004520639.tif 000025
2004520639.tif 000026
2004520639.tif 000027
2004520639.tif 000028
2004520639.tif 000029
2004520639.tif 000030
2004520639.tif 000031
2004520639.tif 000032
2004520639.tif 000033
2004520639.tif 000034
2004520639.tif 000035
【国際公開パンフレット（コレクトバージョン）】
2004520639.tif 000036
2004520639.tif 000037
【国際調査報告】
2004520639.tif 000038
2004520639.tif 000039
2004520639.tif 000040